(57)【要約】【課題】全ての乗客用座席から視認可能な一または二以上の液晶モニターを設置し、ＤＶＤプレイヤーからの広告映像等を該液晶モニターで放映することで、乗客が移動中に注目し飽きることのない旅客運送用車輌の提供を図る。【解決手段】タクシーやバス等の旅客運送用車輌において、ＤＶＤプレイヤーを備えるとともに、該ＤＶＤプレイヤーからの各種広告映像等を放映するための一または二以上の液晶モニターを、天井面や各乗客用座席の前方座席背面等、全ての乗客用座席から視認可能な位置に設置した構成を採用する。【選択図】図２
0003112857.tif 000002
【実用新案登録請求の範囲】
【請求項１】
タクシーやバス等の旅客運送用車輌において、ＤＶＤプレイヤーを備えるとともに、該ＤＶＤプレイヤーからの各種広告映像等を放映するための一または二以上の液晶モニターを全ての乗客用座席から視認可能な位置に設置したことを特徴とする旅客運送用車輌。
【請求項２】
前記液晶モニターが、旅客運送用車輌の天井面に吊り下げた状態で設置されていることを特徴とする請求項１に記載の旅客運送用車輌。
【請求項３】
前記液晶モニターが、各乗客用座席の前方座席背面に設置されていることを特徴とする請求項１または請求項２に記載の旅客運送用車輌。
【請求項４】
前記液晶モニターが、各乗客用座席の前方座席のヘッドレスト背面に設置されていることを特徴とする請求項３に記載の旅客運送用車輌。
【請求項５】
前記液晶モニターが、各乗客用座席の前方に位置するダッシュボードや壁面、手摺り等に設置されていることを特徴とする請求項１から請求項４のいずれかに記載の旅客運送用車輌。
【考案の詳細な説明】
【技術分野】
【０００１】
本考案は、タクシーやバス等の旅客運送用車輌に関し、詳しくは、全ての乗客用座席において各種広告映像を視認することが可能な旅客運送用車輌に関するものである。
【背景技術】
【０００２】
従来から、タクシーやバス等といった旅客運送用車輌の車内において、種々様々な形で広告が行われている。特にタクシー及び路線バスについては顕著である。かかる広告の媒体は専ら紙であって、備え付けの枠に嵌め込んだり、あるいは、天井に備え付けのバインダーに挟み込むなどして、宣伝広告するものである。このような紙媒体による広告は、一定期間掲示した後にゴミとして撤去処分されることとなり、その空いたスペースには新たな広告が掲示されることとなる。確かに、紙媒体による広告によれば、製作容易でコストも安いという利点はあるものの、ゴミの増加が問題となっている現代において、環境に少なくとも悪影響を及ぼしているのは事実である。かといって、同じ広告をずっと掲示しておくことは、タクシーやバス等のイメージ的に良いものとは決していえない。また、広告変更の際には、人の手によって一つづつ交換作業を要するため、非常に煩雑である。
【０００３】
また、長距離輸送バスや貸切バスなどにおいては、あまり広告を顕著に掲示することはしていない。これは、上記タクシーや路線バスとの目的の違いからくるものである。しかしながら、かかる長距離輸送バスや貸切バスなどにおいては、映画やテレビを放映するためのブラウン管モニターが設置されているものもあり、乗客は時に映画やテレビを観賞しながら移動することとなる。かかるブラウン管テレビは、一台のバスにつき一台のみ設置されているのがほとんどであり、多くても二台設置している程度である。したがって、乗客の座席によっては映像を視認しづらい座席もあり、中には全く視認不可能な座席まで存在するのが現状である。
【考案の開示】
【考案が解決しようとする課題】
【０００４】
上記問題点に鑑み、本考案は、全ての乗客用座席から視認可能な一または二以上の液晶モニターを設置し、ＤＶＤプレイヤーからの広告映像等を該液晶モニターで放映することで、乗客が移動中に注目し飽きることのない旅客運送用車輌を提供することを目的とする。
【課題を解決するための手段】
【０００５】
前記目的を達成するため、本考案は、タクシーやバス等の旅客運送用車輌において、ＤＶＤプレイヤーを備えるとともに、該ＤＶＤプレイヤーからの各種広告映像等を放映するための一または二以上の液晶モニターを全ての乗客用座席から視認可能な位置に設置した構成となっている。
【０００６】
また、本考案は、前記液晶モニターが、旅客運送用車輌の天井面に吊り下げた状態で設置されている構成を採用することもできる。
【０００７】
さらに、本考案は、前記液晶モニターが、各乗客用座席の前方座席背面に設置されている構成を採ることができる。
【０００８】
またさらに、本考案は、前記液晶モニターが、各乗客用座席の前方座席のヘッドレスト背面に設置されている構成とすることができる。
【０００９】
そしてまた、本考案は、前記液晶モニターが、各乗客用座席の前方に位置するダッシュボードや壁面、手摺り等に設置されている構成を採ることもできる。
【考案の効果】
【００１０】
本考案にかかる旅客運送用車輌によれば、広告媒体として液晶モニターによる映像を使用するため、従来のように紙ゴミが発生せず、環境にとって非常にやさしいものであるとともに、広告内容の変更についても、ＤＶＤソフトの変更のみという非常に簡単で優れた効果を奏する。
【００１１】
また、本考案にかかる旅客運送用車輌によれば、あまり広告に興味を示さない乗客に対しても注意を喚起する効果があり、乗客は飽きることなく、広告の効果も優れたものとなる。さらに、全乗客用座席から視認可能であるため、視認しづらいあるいは視認不可能による乗客の不快感の是正にも、優れた効果を発揮する。
【考案を実施するための最良の形態】
【００１２】
以下、本考案にかかる旅客運送用車輌１の実施形態を、図面に基づいて説明する。
【００１３】
本考案にかかる旅客運送用車輌１は、乗客を乗せて運行するものであれば、タクシーや路線バス、貸切バスや長距離輸送バス等、特に限定するものではなく、各車輌にはＤＶＤプレイヤーが備えられている。かかるＤＶＤプレイヤーは、車輌ごとに少なくとも一台備えられているが、これを複数台備える構成も考えられる。複数台備えた場合には、後述の液晶モニター２ごとに違う映像を放映することが可能であったり、また、乗客が好む映像を選択することが可能であったり、さらには、一つのＤＶＤソフトが放映終了となった段階でそのＤＶＤソフトを交換することなくＤＶＤプレイヤーを自動で切り替えて違う内容のＤＶＤソフトを放映することなども可能となる。
【００１４】
尚、放映される映像の内容については特に限定はく、例えば広告宣伝映像（ＣＭ）を放映したり、旅客運送用車輌１に関する運行状況などの情報を放映したり、その他様々な内容のＤＶＤソフトを放映可能である。
【００１５】
かかるＤＶＤプレイヤーからの各種広告映像等を放映すべく、本考案にかかる旅客運送用車輌１には、液晶モニター２が全ての乗客用座席Ｓから視認可能な位置に設置されている。該液晶モニター２は、一般に使用されているもので足り、一の旅客運送用車輌２に対して一または二以上設置されることとなる。好ましくは、各乗客用座席Ｓごとにそれぞれ一の液晶モニター２が設置された方がよい。尚、一の旅客運送用車輌１に対し乗客用座席Ｓの数より少ない数の液晶モニター２を設置する場合、全ての乗客用座席Ｓから視認可能とするために、タクシーやバス等の旅客運送用車輌１の形態に合わせて、液晶モニター２の大きさや設置する場所を考える必要がある。各乗客用座席Ｓごとにそれぞれ一の液晶モニター２が設置される場合には、該液晶モニター２をあまり大きいものとしない方がよく、設置する場所については種々の位置が考え得る。
【００１６】
上記旅客運送用車輌１への液晶モニター２の設置位置について、図１から図４に具体例が示されている。尚、図１及び図２は旅客運送用車輌１がタクシーの場合、図３は旅客運送用車輌１が長距離輸送バスあるいは貸切バスの場合、図４は旅客運送用車輌１が路線バスの場合についての具体例を示しているが、かかる旅客運送用車輌１と液晶モニター２との組み合せ態様に限定されるものではない。
【００１７】
上記液晶モニター２の設置位置について、図１及び図４に示す通り、旅客運送用車輌１の天井面３に吊り下げた状態に設置することが可能である。このとき、天井面３あるいは天井内部において、ＤＶＤプレイヤーと液晶モニター２とを繋ぐ配線がなされる。また、該液晶モニター２は、乗客の乗降の邪魔にならないよう、収納式（インダッシュ式）としてもよい。かかる天井面３に吊り下げた形態を採る場合において、図１ではタクシーにおける後部の乗客用座席Ｓにそれぞれ液晶モニター２を設置した構成を示しているが、天井面３における該乗客用座席Ｓの略中央箇所に一の液晶モニター２を設置する態様であってもよい。また、図４では、向き合い型の路線バスにおける液晶モニター２の設置例を示しており、天井面３における両サイドから略中央箇所に、両サイドの乗客用座席Ｓから視認可能なように液晶モニター２を吊り下げ設置した形態を示している。
【００１８】
また、上記液晶モニター２の設置位置について、図２及び図３に示す通り、旅客運送用車輌１における各乗客用座席Ｓの前方座席背面４に設置することが可能である。このとき、該前方座席内を通して、ＤＶＤプレイヤーと液晶モニター２とを繋ぐ配線がなされる。かかる形態を採る場合、液晶モニター２を前方座席背面４の内部に埋め込むか、あるいは、貼り付ける等により外部に設置するかについては、特に限定はない。尚、図２並びに図３では、前方座席のヘッドレスト背面５に液晶モニター２を設置した場合を示しているが、他にも前方座席の背部背面６に設置してもよい。
【００１９】
さらに、上記液晶モニター２の設置位置について、図２に示す通り、旅客運送用車輌１における各乗客用座席Ｓの前方に位置するダッシュボード７や壁面、手摺り等に設置することが可能である。このとき、該ダッシュボード７等を通して、ＤＶＤプレイヤーと液晶モニター２とを繋ぐ配線がなされる。かかる態様を採る場合おいて、図２では、タクシーにおけるダッシュボード７に液晶モニター２を設置した構成を示しているが、他にも旅客運送用車輌１が長距離輸送バス等である場合には、乗客用座席Ｓ前方にある手摺り等に液晶モニター２を設置してもよい。
【００２０】
尚、かかる液晶モニター２の設置態様については、全ての乗客用座席Ｓから視認することが可能であれば、上記各態様に限定されるものではなく、これら各設置態様の組み合せ等による態様であってもよい。
【図面の簡単な説明】
【００２１】
【図１】本考案にかかる旅客運送用車輌の実施形態を示す斜視図である。
【図２】本考案にかかる旅客運送用車輌の実施形態を示す斜視図である。
【図３】本考案にかかる旅客運送用車輌の実施形態を示す斜視図である。
【図４】本考案にかかる旅客運送用車輌の実施形態を示す斜視図である。
【符号の説明】
【００２２】
１    旅客運送用車輌
２    液晶モニター
３    天井面
４    前方座席背面
５    ヘッドレスト背面
６    背部背面
７    ダッシュボード
Ｓ    乗客用座席
【図１】
0003112857.tif 000003
【図２】
0003112857.tif 000004
【図３】
0003112857.tif 000005
【図４】
0003112857.tif 000006